(57)【要約】【課題】使用者が起立した姿勢で使用できるとともに、着席した姿勢での使用にも適した連結デスクを提供する。【解決手段】デスクは、天板と、天板を使用者が起立した姿勢で使用可能な位置に支持する脚部材と、天板よりも低い位置に設けられ、使用者が椅子に着席した姿勢で足を載せることができる足置き台とを備える。また、左右に隣接するデスクと脚部材を共有し、又は対向するデスクと互いの脚部材を接続することにより、他のデスクと連結できる。【選択図】図１
2019083883.tif 000002
【特許請求の範囲】
【請求項１】
天板と、
前記天板を、使用者が起立した姿勢で使用可能な位置に支持する脚部材と、
前記天板よりも低い位置に設けられ、使用者が椅子に着席した姿勢で足を載せることができる足置き台と、
を備えるデスクであって、
左右に隣接するデスクと前記脚部材を共有し、又は奥行き方向に対向するデスクと互いの前記脚部材を接続することにより、他のデスクと連結できるデスク。
【請求項２】
隣接する他のデスクと連結される場合において、隣接する２つのデスクによって共有され、当該２つのデスクがそれぞれ備える足置き台を支持する支持部材をさらに備え、
前記足置き台の端部は、前記脚部材又は前記支持部材と接続される
請求項１に記載のデスク。
【請求項３】
隣接する他のデスクと連結される場合において、隣接する２つのデスクによって共有される前記脚部材は、前記天板と接続される梁部と、当該梁部を支持し前記２つのデスクの奥側に設けられる柱部とを備える片持ち梁状脚部材であり、
前記支持部材は、前記梁部の下方に使用者の下肢を収容する空間をあけて前記柱部の下方手前側に接続される
請求項２に記載のデスク。
【請求項４】
隣接する他のデスクと連結される場合において隣接する２つのデスクによって共有される前記脚部材は、前記天板と接続される梁部と、当該梁部を支持し前記２つのデスクの奥側に設けられる柱部と、前記梁部を支持し前記柱部の手前側に設けられるパネル状の部材とを備える板状脚部材であり、
前記板状脚部材は、前記隣接する２つのデスクがそれぞれ備える足置き台と、当該足置き台よりも高く且つ前記天板よりも低い位置に設けられる棚板とを支持し得る
請求項１に記載のデスク。
【請求項５】
前記足置き台は平板状であり、前記足置き台の使用者側の端部は、前記天板の使用者側の端部よりも奥に位置する
請求項１から４のいずれか一項に記載のデスク。
【請求項６】
前記足置き台の奥側の端部は、前記天板の奥側の端部よりも手前に位置する
請求項５に記載のデスク。
【請求項７】
前記足置き台の上面は、床材が張られている
請求項１から６のいずれか一項に記載のデスク。
【請求項８】
前記足置き台の上面は、前記天板又は前記脚部材よりも明度が暗い色が配されている
請求項１から７のいずれか一項に記載のデスク。
【請求項９】
請求項１から８のいずれか一項に記載のデスクを複数備え、
複数のデスクの各々は、左右に隣接する他のデスク又は奥行き方向に対向する他のデスクと連結される
連結デスク。
【発明の詳細な説明】
【技術分野】
【０００１】
本発明は、デスク及び連結デスクに関する。
【背景技術】
【０００２】
従来、複数のデスクを連結してこれらに構成部材を共有させる連結デスクが提案されている。例えば、連結デスクにおいて各デスクの高さを独立して設定できるようにしたものが提案されている（例えば、特許文献１）。当該技術では、天板と脚部材との間に接続され、天板の高さを脚部材の上端よりも高い位置に支持する側面支持部材を用いている。
【先行技術文献】
【特許文献】
【０００３】
【特許文献１】特開２０１６−２１４６８０号公報
【発明の概要】
【発明が解決しようとする課題】
【０００４】
従来、使用者が起立した姿勢で使用できる連結デスクは提案されていた。このようなデスクを着席した姿勢で使用したい場合は、天板の高さに応じて座面が一般的な家具よりも高いフットリング付の椅子を使用する事が多かった。しかしながら、座面の高いフットリング付の椅子ではデスクの使用者はデスク使用時の足を載せる場所が限定されるために自由な姿勢をとりづらく、長時間の使用に向かないという問題があった。
【０００５】
本発明はこのような問題に鑑みてなされたものであり、使用者が起立した姿勢で使用できるとともに、着席した状態でも適切な姿勢で使用出来る連結デスクを提供することを目的とする。
【課題を解決するための手段】
【０００６】
本発明に係るデスクは、天板と、天板を使用者が起立した姿勢で使用可能な位置に支持する脚部材と、天板よりも低い位置に設けられ、使用者が椅子に着席した姿勢で足を載せることができる足置き台とを備える。また、左右に隣接するデスクと脚部材を共有し、又は対向するデスクと互いの脚部材を接続することにより、他のデスクと連結できる。
【０００７】
他のデスクと連結することで形成される連結デスクは、広大な天板面積と広い下肢空間を有する。天板を使用者が起立した姿勢で使用可能な位置にされるものにおいて、足置き台を備えることにより、使用者が椅子に着席した姿勢で作業する場合にも、使用者が自由な姿勢を取り得るため使用者の疲労を低減することができる。また、天板を高い位置に設ける場合はデスクの重心が高くなり安定性が低下するおそれがあるところ、天板よりも低い位置に足置き台を備えることにより、デスクのバランスをとることもできる。また、足置き台には、バックや書類等を置くこともできる。このようにすれば、床面に置くよりも荷物が汚れにくくなり、また、デスク全体の収納効率が高まるため机上面を有効に利用できるようになる。
【０００８】
また、隣接する他のデスクと連結される場合において、隣接する２つのデスクによって共有され、当該２つのデスクがそれぞれ備える足置き台を支持する支持部材をさらに備え、足置き台の端部は、脚部材又は支持部材と接続されるようにしてもよい。このようにすれば、他のデスクと連結される場合において、デスク全体の強度や剛性を高める事も出来る。
【０００９】
また、隣接する他のデスクと連結される場合において、隣接する２つのデスクによって共有される脚部材は、天板と接続される梁部と、当該梁部を支持し２つのデスクの奥側に設けられる柱部とを備える片持ち梁状脚部材であり、支持部材は、梁部の下方に使用者の下肢を収容する空間をあけて柱部の下方手前側に接続されるようにしてもよい。このようにすれば、足置き台と脚部材の梁部との間の空間を仕切る部材がなくなり、使用者はデスクの連結部分においても足置き台の上部を自由に使うことができるようになる。
【００１０】
また、足置き台は平板状であり、足置き台の使用者側の端部は、天板の使用者側の端部よりも奥に位置するようにしてもよい。このようにすれば、椅子を天板の下の空間に収容する際に、椅子の支柱と足置き台との干渉を避けることができる。また、起立して作業する際、足置き台に足のすね等をぶつける事が低減される。
【００１１】
また、隣接する他のデスクと連結される場合において隣接する２つのデスクによって共有される脚部材は、天板と接続される梁部と、当該梁部を支持し２つのデスクの奥側に設けられる柱部と、梁部を支持し柱部の手前側に設けられるパネル状の部材とを備える板状脚部材であり、板状脚部材は、隣接する２つのデスクがそれぞれ備える足置き台と、当該足置き台よりも高く且つ天板よりも低い位置に設けられる棚板とを支持し得るようにしてもよい。このようにすれば、足置き台に加えて棚板を設けることができるようになる。
【００１２】
また、足置き台は平板状であり、足置き台の使用者側の端部は、天板の使用者側の端部よりも奥に位置するようにしてもよい。このようにすれば、床面から天板上にケーブル等の配線を行うための間隙を、使用者の邪魔にならないようデスクの奥側に設けることができる。
【００１３】
また、足置き台の上面は、床材が張られていてもよい。このようにすれば、使用者が靴を載せる足置き台の耐久性を向上させることができる。
【００１４】
また、足置き台の上面は、天板又は脚部材よりも明度が暗い色が配されていてもよい。このようにすれば、使用者が靴を載せる足置き台の汚れが目立たないようになる。
【００１５】
また、本発明に係る連結デスクは、上述のデスクを複数備え、複数のデスクは、左右に隣接する他のデスク又は奥行き方向に対向する他のデスクと連結されるものであってもよい。すなわち、本発明は上述したデスクを連結した連結デスクとして捉えることもできる。
【００１６】
なお、上記課題を解決するための手段の内容は、本発明の課題や技術的思想を逸脱しない範囲で可能な限り組み合わせることができる。
【発明の効果】
【００１７】
本発明によれば、使用者が起立した姿勢で使用できるとともに、着席した姿勢状態でも適切な姿勢で使用出来る連結デスクを提供することができる。
【図面の簡単な説明】
【００１８】
【図１】図１は、連結デスクの一例を示す斜視図である。
【図２】図２は、連結デスクの一例を示す分解斜視図である。
【図３】図３は、エンド脚及び周囲の部材の一例を示す分解斜視図である。
【図４】図４は、フットステージ及びアングルの一例を示す分解斜視図である。
【図５】図５は、デスクの一例を示す、右側面図である。
【図６】図６は、中間脚及び周囲の部材の一例を示す分解斜視図である。
【図７】図７は、天板の一例を示す斜視図である。
【図８】図８は、横梁部材の一例を示す斜視図である。
【図９】図９は、中間受部材の一例を示す斜視図である。
【図１０】図１０は、連結デスクの使用状態の一例を示す図である。
【図１１】図１１は、連結デスクの変形例を示す斜視図である。
【図１２】図１２は、変形例に係る板状中間脚を示す斜視図である。
【図１３】図１３は、中間脚及び周囲の部材の変形例を示す斜視図である。
【図１４】図１４は、連結デスクの変形例を示す斜視図である。
【図１５】図１５は、連結デスクの上方に支柱等を接続する例を示す斜視図である。
【発明を実施するための形態】
【００１９】
次に、本発明の実施形態を、図面に基づいて説明する。なお、以下で説明する実施形態は例示であり、本発明は以下の態様には限定されない。
【００２０】
＜全体構成＞
図１は、本実施形態に係るデスク（机）を、その幅（左右）方向に３台、奥行き（前後）方向に２台の計６台を連結したデスクの集合体の一例を示す斜視図である。なお、デスクの集合体を「連結デスク」とも呼ぶものとする。本実施形態に係る連結デスク１０００は、複数のデスク１００を含む。また、デスク１００の各々は、左右に隣接する他のデスク及び前後に対向する他のデスクと結合することができる。デスク１００は、天板１と、エンド脚２と、中間脚３と、フットステージ４と、フットステージの支持部材５と、配線ダクトカバー６を備える。なお、本実施形態に係るデスク１００は、天板１とその周囲の部材を便宜上１つのデスクと呼び、各デスクは左右に隣接された他のデスクと中間脚３や支持部材５を共有する。また、エンド脚２及び中間脚３を総称して本発明に係る「脚部材」と呼ぶものとする。フットステージ４は、本発明にかかる「足置き台」に相当する。
【００２１】
本実施形態に係るデスク１００の各々については、当該デスク１００の使用者が位置する方向を前、その逆を奥又は後ろと呼ぶものとする。また、使用者からデスク１００に向かって左右をそれぞれ左、右と呼び、鉛直方向上下をそれぞれ上、下と呼ぶ。また、連結デスク１０００については、便宜上、手前に描かれたデスク１００を基準にして前後左右を説明するものとする。本実施形態に係るデスク１００を組み合わせることにより、全体として様々な形状の連結デスク１０００を形成することができる。
【００２２】
図２は、図１に示した連結デスク１０００のうち、手前に位置する３台のデスク１００を分解した状態を示す分解斜視図である。デスク１００は、上述した部材のほかに、横梁部材７と、中間受部材８とを備えている。また、天板１とエンド脚２又は中間脚３とは、天板を取り付けるためのアングル１１を介し、図示していないボルトを用いて接続される。同様に、フットステージ４とエンド脚２又は支持部材５とは、フットステージ４を取り付けるためのアングル４１を介し、図示していないボルトを用いて接続される。
【００２３】
また、デスク１００は、使用者が起立した姿勢で使用することができる。換言すれば、エンド脚２及び中間脚３は、使用者が起立した姿勢で使用できる高さに天板１を支持する。例えば、一般的なオフィス用デスクの天板の高さは７００〜７２０ｍｍ程度であるところ、本実施形態に係るデスク１００の天板１の高さは９５０ｍｍから１１００ｍｍ程度が好ましい。また、使用者は、一般的な高さよりも座面の高い椅子（「ハイチェア」とも呼ぶ）に座ってデスク１００を使用することもできる。ハイチェアの座面の高さは、例えば天板１の高さよりも２００ｍｍから３５０ｍｍ程度低い位置が好ましい。
【００２４】
＜エンド脚＞
図３は、エンド脚２とこれに接続される部材を前方斜め上から見た分解斜視図である。エンド脚２は、連結デスク１０００の幅方向の端に接続される。なお、エンド脚２には左
端用のものと右端用のものとがあり、図３に示すエンド脚２は、左端用のものである。なお、右端用のエンド脚２は、左端用のものと鏡映対称な形状であるため図示を省略する。エンド脚２は、アングル１１を介して天板１（図示せず）と接続される。アングル１１は、例えば、金属の平板の１か所を９０度に曲げ、断面をＬ字形状とした接続部材である。そして、アングル１１の一方の面には、ボルトを用いて天板１と接続するためのボルト穴１１１を有し、他方の面には、ボルトを用いてエンド脚２又は中間脚３と接続するためのボルト穴１１２を有する。エンド脚２には、アングル１１のボルト穴１１２と対応する位置にボルト穴２０１を有しており、図示していないボルトを用いてエンド脚２とアングル１１とを接続することができる。なお、本実施形態では、１つの脚部材は２つのアングル１１を介して天板１と接続されており、ボルト穴２０１は水平方向に並べて２つ設けられているが、部材の接続に使用するアングルの数や形は特に限定されない。なお、本発明に係る様々な部材のボルト穴を、それぞれ「接続部」とも呼ぶものとする。図３のエンド脚２は板状のものを示したが、このような形状には限られない。例えば、柱状の部材と梁状の部材とを組み合わせることによりエンド脚２を形成するようにしてもよい。
【００２５】
また、エンド脚２の側面のうち、奥側上方であってデスク１００の内側に相当する位置には、脚接続部材９を取り付けるためのボルト穴２０２が設けられている。脚接続部材９は、奥行き方向に対向するデスク１００の脚部材同士を接続するための接続部材である。脚接続部材９は、例えば金属の平板の１か所を９０度に曲げ、断面がＬ字形状になっている。そして、脚接続部材９の一方の面には、エンド脚２又は中間脚３とボルトを用いて接続するためのボルト穴９０１を有し、他方の面には、配線ダクトカバー６を取り付けるための接続穴９０２を有する。また、図３に示す脚接続部材９は、エンド脚２又は中間脚３と接続される面がＴ字状になっており、奥行き方向に対向するデスク１００の脚部材（図示せず）と接続できるようになっているが、奥行き方向に他のデスクを接続しない場合には、エンド脚２又は中間脚３と接続される面がＬ字状の脚接続部材（図示せず）を採用し、脚部材と配線ダクトカバー６とを接続するようにしてもよい。
【００２６】
また、エンド脚２の側面のうち、奥側下方であってデスク１００の内側に相当する位置には、図示していない第２の脚接続部材を取り付けるためのボルト穴２０３が設けられている。第２の脚接続部材も、奥行き方向に対向するデスク１００の脚部材同士を接続するための接続部材であり、例えば複数のボルト穴を有する平板状の金属である。また、エンド脚２の側面のうち、ボルト穴２０２よりも手前側には、デスク１００の奥側に配線等を収容する配線ダクトを形成する横梁部材７を接続するための横梁取付穴２０４が設けられている。横梁部材７については後述する。また、エンド脚２の奥側の面（背面）には、後述する幕板を接続するための幕板取付穴（図示せず）を設けるようにしてもよい。
【００２７】
また、エンド脚２の側面のうち下方には、アングル４１を介してフットステージ４を接続するためのボルト穴２０５が設けられている。フットステージ４の上面と天板１の上面との距離は、使用者の下肢を収容するために十分な高さであり、例えば７００〜７２０ｍｍ以上である。このような構成にすることで、フットステージ４と天板１との距離は、床面と一般的なデスクの天板との距離とほぼ同様になる。よって、使用者がデスク１００を着席した姿勢で使用する場合においても、使用者は望ましい姿勢をとることができるようになる。また、ボルト穴２０５は、水平方向に列をなすように２つ設けられているが、部材の接続に使用するアングルの数や形は特に限定されない。
【００２８】
図４は、フットステージ４及びアングル４１を斜め下方から見た分解斜視図である。図３及び図４に示すように、フットステージ４を支持するためのアングル４１も、例えば、金属の平板の１か所を９０度に曲げ、断面をＬ字形状とした接続部材である。そして、アングル４１の一方の面には、ボルトを用いて脚部材又はフットステージの支持部材５と接続するためのボルト穴４１１を有し、他方の面には、ボルトを用いてフットステージ４と
接続するためのボルト穴４１２を有する。なお、本実施形態では、アングル４１の各面は奥行き方向を長手方向とする長方形形状になっており、各面には、ボルト穴４１１又はボルト穴４１２が２つ設けられているが、部材の接続に使用するアングルの数や形は特に限定されない。
【００２９】
＜フットステージ＞
デスク１００は、天板１よりも低い位置であって、エンド脚２又は中間脚３の間に、使用者がハイチェア等の椅子に着席して使用する際に足を載せることができるフットステージ４を備える。フットステージ４は、例えば、所定の厚さを有する長方形状の平板形状の部材である。フットステージ４の底面には、アングル４１のボルト穴４１２と対応する位置に、図示していないボルトを用いてアングル４１と接続するためのボルト穴４０１が設けられている。
【００３０】
また、フットステージ４の表面（上面）には、床材を張るようにしてもよい。床材は、例えばリノリウムやオイルクロス、フローリング等である。フットステージ４の上部には、使用者が靴を載せて使用するところ、床材で仕上げることによりフットステージ表面の耐久性を向上させることができる。また、フットステージ４の表面は、天板１や脚部材よりも明度の暗い暗色を配するようにしてもよい。例えば天板１や脚部材が白色やこれに近い色である場合、フットステージ４の表面には灰色等を配する。このようにすれば、フットステージ４の表面に汚れが目立つのを抑えることができる。
【００３１】
図５は、デスク１００の右側面図である。なお、図５においてはエンド脚２の奥に存在する部材を破線で示している。図５に示すように、フットステージ４のうち、使用者の位置する手前側端部は、天板１の手前側端部よりも奥に位置している。このようにすれば、椅子の座面を天板１の下方の空間に収容する場合に、椅子の支柱とフットステージ４とが干渉することを抑制できる。また、起立して作業する際、足置き台に足のすね等をぶつける事が低減される。
【００３２】
＜中間脚＞
図６は、中間脚３及びその周囲に接続される部材を右上前方から見た斜視図である。中間脚３は、水平方向に伸びて天板１を支持する梁状の水平部材３０１と、鉛直方向に伸びて水平部材を所定の高さに保持する柱状の鉛直部材３０２とを有する。図６の中間脚３は、デスク１００の奥側に鉛直部材３０２を配し、鉛直部材３０２の上端から手前に向かって水平部材３０１が伸びる片持ち梁形状になっており、本発明に係る「片持ち梁状脚部材」に相当する。なお、水平部材３０１は、本発明に係る「梁部」に相当し、鉛直部材３０２は、本発明に係る「柱部」に相当する。また、中間脚３は、その上端の水平部材の側面に、アングル１１を介して天板１を接続するためのボルト穴３０３を有する。また、中間脚３の側面のうち、奥側上部には、脚接続部材９を接続するためのボルト穴３０４が設けられている。そして、奥行き方向にデスク１００を結合する場合は、図３に示した脚接続部材９を用いて対向する２つの中間脚３を結合する。また、中間脚３の側面上部のうち、上述したボルト穴３０４よりも手前側には、横梁取付穴３０５が設けられている。また、中間脚３の側面のうち、奥側下方には、奥行き方向に対向するデスクを接続する場合に、対向する中間脚３同士を平板上の接続部材で連結するためのボルト穴３０７が設けられている。また、中間脚３の背面には、幕板を接続するための幕板取付穴（図示せず）が設けられている。ボルト穴３０３、３０４、３０７、横梁取付穴３０５、幕板取付穴の形状及び機能は、エンド脚２のボルト穴２０１、２０２、２０３、横梁取付穴２０４、幕板取付穴と同様である。また、中間脚３の鉛直部材３０２の正面側下部には、フットステージ４を支持する支持部材５を接続するためのボルト穴３０６が設けられている。
【００３３】
＜支持部材＞
フットステージの支持部材５は、水平方向に伸びる梁状の２つの水平部材５０１と、鉛直方向に伸びて水平部材５０１の端部同士を接続する柱状の２つの鉛直部材５０２とを含む。支持部材５の高さは、フットステージ４を取り付ける高さと略同じであり、支持部材５は、アングル４１を介してフットステージ４を支持する。支持部材５の左右の側面上部には、アングル４１を介してフットステージ４を接続するためのボルト穴５０３が設けられている。ボルト穴５０３は、エンド脚２のボルト穴２０５と対応する位置に２つ設けられている。また、支持部材５の背面には、中間脚３の鉛直部材３０２の正面側下部に設けられたボルト穴３０６と対応する位置にボルト穴５０４が設けられ、図示していないボルトを用いて中間脚３と支持部材５とを接続できるようになっている。また、支持部材５の上部に配された水平部材５０１は、正面、背面及び左右の側面によって形成され、上方に向かって開いた凹部を有し、凹部にカバー部材５１を接続することができる。
【００３４】
カバー部材５１は、組み立てるとフットステージ４とほぼ平行になる平面状のカバー部５１１と、支持部材５の上部に設けられた凹部と嵌合する凸部５１２とを有する。本実施形態のカバー部材５１は、カバー部５１１の幅方向の端の一部がフットステージ４の端の上に重なるようになっている。
【００３５】
本実施形態では、片持ち梁状の中間脚３と、フットステージ４とほぼ同じ高さの支持部材５とを組み合わせることにより、複数のデスク１００を左右に連結する場合であっても使用者の足元に境界を作ることがなくなる。換言すれば、支持部材５は、梁部の下方に使用者の下肢を収容する空間をあけて鉛直部材３０２の下方手前側に接続されており、使用者は、デスク１００の幅方向の連結部分においても、フットステージ４の上部且つ水平部材３０１の下部の空間を自由に使うことができる。すなわち、使用者が中間脚３の手前に位置する場合であっても、天板１の下方に使用者の下肢を収めることができる。したがって、連結デスク１０００の全体を１つの作業スペースとして、使用者は任意の位置に座って連結デスク１０００を使用することができる。また、幅方向に複数のデスク１００を連結する場合においても、フットステージ４の間に支持部材５を配置することで、フットステージ４の強度を担保することができる。また、それぞれ平行に配設される２つの水平部材５０１及び２つの鉛直部材５０２をロ字状に接合することで、支持部材５の強度を担保し、フットステージ４の耐荷重性を向上させることができる。
【００３６】
＜天板＞
図７は、天板１を正面側下方から見た斜視図である。天板１は、いわゆる天板（甲板）として使用できる板状の部材であり、その下部に任意のサイズの引き出し１０１を備えていてもよい。また、天板１は、その左右の端部がエンド脚２又は中間脚３の上に架設される。天板１は、底面の左右両端付近にボルト穴１０２を有しており、図示していないボルトを用いて、エンド脚２又は中間脚３に接続されるアングル１１と、接続される。また、天板１は、底面の奥側にもボルト穴１０３を有しており、中間受部材８ともボルトを用いて接続できる。
【００３７】
＜横梁部材＞
図８は、横梁部材７を背面斜め上から見た斜視図である。横梁部材７は、外形が略直方体のパネル状の部材である。また、横梁部材７は、鉛直方向上端であって幅方向の略中央に、中間受部材８を取り付けるための中間受取付穴７０１を有している。また、横梁部材７は、その側面に、エンド脚２又は中間脚３とボルトで接続するためのボルト穴７０２を複数有している。また、横梁部材７は、水平方向に沿って複数回曲げ加工され、その正面及び背面に溝（凹部又は段差とも呼ぶ）を有している。横梁部材７により、デスク１００の特に脚部材の強度が向上する。また、図８の例は、背面に第１背面凹部７０３及び第２背面凹部７０４を有し、正面に正面凹部７０５を有している。このような曲げ加工によって横梁部材７の強度が向上する。
【００３８】
また、奥行き方向に対向する２つのデスク１００を連結した場合における２つの横梁部材７の間、又は奥行き方向にはデスク１００を連結しない場合における横梁部材７と図示していない幕板との間には、トレイを架設することにより、ケーブルの余長部分等を収納するための配線ダクトを形成してもよい。
【００３９】
＜中間受部材＞
図９は、中間受部材８を後方斜め上から見た斜視図である。中間受部材８は、下方に向かって凹部が開いた形状になっている。また、中間受部材８は、横梁部材７と天板１との間に挟まれて固定される。また、奥行き方向に対向するデスクを接続する場合、各デスクの中間受部材８が連結される。中間受部材８が、横梁部材７と天板１との間に挟持され、横梁部材７と天板１とを結合することで、デスク１００の強度を向上させることができる。中間受部材８の背面は、上面から曲げ加工されて連続する壁部が設けられており、壁部には中間受部材８同士又は中間受部材８と図示していない幕板とを接続するための接続穴８０１及び接続片８０２が設けられている。そして、両面にデスク１００が連結される場合においては、対向する中間受部材８のそれぞれの接続片８０２が、他方の接続穴８０１に挿入される。また、中間受部材８の上面には、例えばボルトを用いて天板１又はと接続するための天板接続穴８０３と、配線ダクトカバー６を接続するためのカバー接続穴８０４とが設けられている。また、中間受部材８の側面には、横梁部材７の上方からその厚さ方向の両端を挟むように嵌め込むことができる嵌着凹部８０５を有している。嵌着凹部１８５の奥行き方向中央付近には、横梁部材７の中間受取付穴１６１に挿入される凸部８０５１が設けられている。また、嵌着凹部８０５の奥行き方向の両端に相当する壁部８０５２及び壁部８０５３の間は、横梁部材７の厚さ程度となっており、横梁部材７を挟んで固定する。本実施形態に係る中間受部材８は、ボルト等を用いずに横梁部材７の上に結合することができ、組み立てが容易になっている。また、横梁部材７には、中間受部材８の凸部８０５１を挿入する位置である中間受取付穴７０１が設けられており、横梁部材７に対して中間受部材８の水平方向の取付位置が決定される。なお、中間受部材８は、天板１と横梁部材７とを接続すると共に、奥行き側に対向するデスク１００同士を接続する場合に対向するデスク１００の中間受部材８を接続することができればよく、図９に示すような形状には限定されない。
【００４０】
＜配線カバー＞
図２に示した配線ダクトカバー６は、ケースウェイの上部を覆うパネル状の蓋である。配線ダクトカバー６は、例えば軸部と軸受け部とを有し、軸部を中心に回動して開閉する。使用者は、天板１上で使用する機器に接続するケーブル等の配線を、配線ダクトカバー６を開いて取り出すことができる。
【００４１】
＜効果＞
図１０は、連結デスク１０００の使用例を示す図である。デスク１００は、フットステージ４を設けることで、使用者がデスク１００を着席した姿勢で使用する場合においても、使用者は望ましい姿勢をとることができるようになる。例えばハイチェアにもフットレストを備えたものがあるが、一般的にフットレストは椅子の座面下方の支柱の近傍に設けられるため、使用者は足を前方に投げ出すことができない。デスク１００のフットステージ４によれば、使用者は自身の前方に足を置くことができ、特に長時間の作業を行う場合に疲労が軽減される。また、ハイチェアに着席した使用者と、起立した姿勢の使用者との目線の高さが近くなり、使用者同士の姿勢が異なっていてもコミュニケーションが円滑にとれるようになる。また、天板１を使用者が起立した姿勢で使用することができるような高さに設ける場合は、デスク１００の重心が高くなり、水平力に対する安定性が低下するおそれがある。フットステージ４を設けることで、フットステージ４が脚部材を水平方向に結合し、デスク１００の安定性を向上させることができる。なお、フットステージ４に
は、バックや書類等を置くこともできる。このようにすれば、床面に置くよりも荷物が汚れにくくなり、また、デスク１００全体の収納効率が高まるため机上面を有効に利用できるようになる。
【００４２】
＜変形例＞
図１１は連結デスク１０００の変形例を示す斜視図である。図１１の連結デスク１０００は、片持ち梁状の中間脚３及び支持部材５のほかに、平板状の板状中間脚１０（「パネル状脚部材」とも呼ぶ）を備えている。また、板状中間脚１０とエンド脚２との間であって、フットステージ４の高さよりも高い位置に、棚板１２を備えている。
【００４３】
図１２は、板状中間脚１０の一例を示す分解斜視図である。板状中間脚１０は、片持ち梁状脚部材（中間脚３）と、平板部材１００１とを接続して形成される。片持ち梁状脚部材は、図６等に示したものと同様であり、水平方向に伸びて天板１を支持する梁状の水平部材３０１と、鉛直方向に伸びて水平部材を所定の高さに保持する柱状の鉛直部材３０２とを含む。また、平板部材１００１は、鉛直部材３０２の手前側に設けられ、水平部材３０１を支持する板状の部材である。片持ち梁状脚部材と平板部材１００１とは、ボルト等で接続してもよいし溶接等で接続してもよい。
【００４４】
図１３は、板状中間脚１０及びその周囲の部材を正面側上方から見た斜視図である。平板部材１００１は、床面から天板１に近い位置まで伸びており、その側面にはフットステージ４のほかに棚板１２も架設できるようになっている。棚板１２は、エンド脚２又は板状中間脚１０の間であって、フットステージ４よりも高く且つ天板１よりも低い位置に設けられる。また、板状中間脚１０は、その上端の水平部材の側面に、アングル１１を介して天板１を接続するためのボルト穴１００３を有する。また、板状中間脚１０の側面のうち、奥側上部には、脚接続部材９を接続するためのボルト穴１００４が設けられている。そして、奥行き方向にデスク１００を結合する場合、対向する２つの中間脚３を脚接続部材９で結合する。また、板状中間脚１０の側面上部のうち、上述したボルト穴１００４よりも手前側には、横梁取付穴１００５が設けられている。また、板状中間脚１０の側面のうち、奥側下方には、図示していない第２の脚接続部材を取り付けるためのボルト穴１００８が設けられている。また、板状中間脚１０の背面には、幕板を接続するための幕板取付穴（図示せず）が設けられている。ボルト穴１００３、１００４、１００８、幕板取付穴の形状及び機能は、中間脚３の対応する構成要素と同様である。また、板状中間脚１０の左右の側面には、アングル４１を介してフットステージ４を接続するためのボルト穴１００６が設けられている。ボルト穴１００６は、エンド脚２のボルト穴２０５や支持部材５のボルト穴５０３と対応する位置に２つ設けられている。また、板状中間脚１０の左右の側面であってボルト穴１００６よりも高い位置に、棚受け１２１を介して棚板１２を支持するためのボルト穴１００７が設けられている。本変形例に係る板状中間脚１０によれば、フットステージ４に加え棚板１２を設けることもできるようになり、使用者は様々な使い方ができるようになる。
【００４５】
なお、図１１に示した連結デスク１０００は一例であり、片持ち梁状脚部材と板状中間脚１０、フットステージ４と棚板１２は、可能な限り自由に組み合わせて用いることができる。すなわち、１つのデスク１００は、フットステージ４及び棚板１２の両者又はいずれか一方を備えるようにしてもよいし、いずれも有していなくてもよい。また、３つ以上のデスク１００を幅方向に連結する場合、中間脚３と板状中間脚１０とが混在していてもよいし、いずれか一方のみを用いるようにしてもよい。フットステージ４を設ける場合は、中間脚３には支持部材５を接続して使用する。
【００４６】
図１４は、連結デスク１０００の他の変形例を示す斜視図である。図１４のフットステージ４２の奥側の端部は、天板１の奥側の端部よりも手前に位置する。したがって、奥行
き方向に対向するデスク１００を連結する場合、対向するフットステージ４２の間には間隙が生じる。このようにすれば、例えば床下から天板１上で使用する機器１３へケーブル等の配線を行うための間隙を、使用者の邪魔にならないようデスクの奥側に設けることができる。図１４の例では、床面のカーペットの間から上方に伸びるケーブル１４が、対向する２つのデスク１００のフットステージ４２の間を通過する。また、ケーブル１４は、対向する２つのデスク１００の横梁部材７の間に形成されるケースウェイ（図示せず）をさらに通過し、配線ダクトカバー６から天板１上の機器１３へ接続されている。なお、対向するフットステージ４２同士の間の間隙には、フットステージ４２と面一になるようにフットステージ４３を設け、間隙を塞ぐようにしてもよい。フットステージ４２やフットステージ４３は、図示していないアングルを用いて脚部材や支持部材５の間に架設することができる。
【００４７】
図１５は、連結デスクの天板よりも上方にオプション器具を取り付けるための支柱等を接続した例を示す斜視図である。図１５は、連結デスク１０００を右背面上方から見た図である。デスク１００の上方には、支柱１５を立設して様々なオプション器具を接続するようにしてもよい。例えばデスク１００には、エンド脚２や中間脚３の奥側の上部及びエンド脚２や中間脚３の背面に支柱１５を立設し、棚やディスプレイ等のオプション器具を取り付けられるようにしてもよい。図１５の例では、支柱１５の間に、梁状の部材１６を架設し、図示していないディスプレイ等の器具を取り付けられるようにしている。特に奥行き方向に対向するデスクを接続しない場合であって、デスク１００の上方にオプション器具を接続するときは、連結デスク１０００の安定性が低下するおそれがあるところ、フットステージ４を設けることで、フットステージ４が脚部材を水平方向に結合し、連結デスク１０００の安定性を向上させることができる。なお、奥行き方向に対向するデスクを接続しない場合は、図１０や図１１、図１５に示すように、デスク１００の奥側であってエンド脚２又は中間脚３の間、且つ天板１の下方に幕板１７を接続するようにしてもよい。幕板１７は、エンド脚２や中間脚３、中間受部材８に、ボルト等を介して接続される。
【００４８】
なお、あるデスク１００に対し、奥行き方向に対向する位置又は左右（幅）方向に隣接する位置に他のデスクを接続する場合、２つのデスク１００は中間脚３及び支持部材５を共有する。すなわち、１つの中間脚に左右のデスク１００の天板１が接続される。また、対向するデスク１００を接続する場合、２つのデスク１００の脚部材が、脚接続部材９によって接続されると共に、２つのデスク１００の中間受部材８が互いに接続される。このように左右方向及び奥行き方向に接続されることにより、連結デスク１０００の強度が確保される。
【００４９】
また、図示した配線ダクトカバー６は一例であり、様々な形状を採用することができる。例えば、配線ダクトカバー６は開閉しない構成であってもよいし、また、机面にコンセントを埋め込む構成であってもよい。
【符号の説明】
【００５０】
１  ：天板
２  ：エンド脚
３  ：中間脚（片持ち梁状脚部材）
４  ：フットステージ（足置き台）
５  ：支持部材
６  ：配線ダクトカバー
７  ：横梁部材
８  ：中間受部材
９  ：脚接続部材
１０  ：板状中間脚
１２  ：棚板
１００  ：デスク
１０００  ：連結デスク
【図１】
2019083883.tif 000003
【図２】
2019083883.tif 000004
【図３】
2019083883.tif 000005
【図４】
2019083883.tif 000006
【図５】
2019083883.tif 000007
【図６】
2019083883.tif 000008
【図７】
2019083883.tif 000009
【図８】
2019083883.tif 000010
【図９】
2019083883.tif 000011
【図１０】
2019083883.tif 000012
【図１１】
2019083883.tif 000013
【図１２】
2019083883.tif 000014
【図１３】
2019083883.tif 000015
【図１４】
2019083883.tif 000016
【図１５】
2019083883.tif 000017